(57)【特許請求の範囲】
【請求項１】
金庫室等の出入口に装備される懸吊された横引き式扉装置において、スライド可能に懸吊された扉本体を上，下で水平に二分し、二分した下半部扉体を上半部扉体に左右スライド可能に懸吊支持させて非常用扉に形成すると共に、上，下半部扉体が結合した扉本体のカンヌキの動作をロック，アンロックするための電気又は電子施錠装置の施，解錠動作を、生体データの認識装置による判別信号に基づいて制御するようにしたことを特徴とする金庫室等の横引き式扉装置。
【請求項２】
下半部扉体は、上半部扉体が閉扉状態のままで扉本体全体の開扉スペースとして設けられている扉収納部内にスライドして開扉されると共に、閉扉されると上半部扉体と扉枠にカンヌキなどを介して機械的に結合されるように形成した請求項１の金庫室等の横引き式扉装置。
【請求項３】
下半部扉体は、上半部扉体とのカンヌキ等による機械的結合手段の施解錠装置を具備した請求項２の金庫室等の横引き式扉装置。
【発明の詳細な説明】
【技術分野】
【０００１】
本発明は金庫室や貸金庫室、或は、耐火書庫や耐火収納室など（以下、これらを単に「金庫室」ともいう）に装備される横引き式の扉装置であって、その扉自体に非常口を形成するために非常用扉を横引き式扉の形態で設けた横引き式扉装置に関する。
【背景技術】
【０００２】
金庫室にはヒンジ（又は蝶番）で支持した開き戸式の扉か横引き式の本扉装置が装備されるが、装備されている扉が錠装置などに生じた故障などのトラブルで開閉できないとき、例えば、閉扉状態でトラブルが発生して開扉できないとき、内部に収納している現金や物品などの出入れが全くできなくなる事態を防ぐ趣旨で、非常用の小扉装置（以下、非常用扉装置という）が、前記本扉装置とは別の壁面位置に設けられている。
【０００３】
上記の非常用扉装置は、出入口用の本扉とは別の位置に設けられ、また、開き戸式であるため、非常用扉装置の前にはキャビネットや収納庫などの壁面什器を配置できないというスペース上のデメリットがある。
【０００４】
上記のような点に鑑み、本扉装置の中に非常用扉装置を設けた扉が特許文献１，２により提案されている。しかし、提案されている非常用扉装置は、別設タイプの非常用扉装置の設置スペース上の問題点は回避できるが、当該特許文献１，２の図によく表れているように、非常用扉の下端と床との間に下かまちが床から凸状に突出して形成されているため、例えば庫内側又は庫外側からキャスタ付ワゴン等の出入れをすることができないか、できるとしても下かまちによる段差乗越えのために作業がきわめて煩雑，困難であるという問題がある。
【０００５】
一方、従来の金庫室に装備される扉装置は、ダイアル式の機械的施錠装置を備え、この施錠装置に設定された解錠番号の組合せを前記ダイアルの手動操作によって合わせないと、カンヌキを解除方向に動かすための操作ハンドルの回転等の操作ができない仕組みであったため、そのための操作に時間がかかり過ぎるという問題のほか、仮にも解錠番号が正当でない者に漏洩すると、当事者以外の不当操作者がこの扉の解錠ができるという弱点があった。
【０００６】
この点に鑑み、出入口などの扉の施錠装置の解錠を、機械的条件の整合ではなく、その扉を開けようとする者、つまり自然人（生体）の個々において同じものはないといわれている指紋や虹彩紋、或は、指の静脈パターンなどを読取ったデータ（以下、生体データという）を照合することにより、予め登録している本人の登録データと一致した生体データを持つ者に対してのみカンヌキの進退動作が許容される電子施錠システムが特許文献３などによって提案されているが、このシステムを横引き式の扉装置であってその扉本体の中に非常用扉装置を付設したものに適用した技術は、未だ提案されていない。
【特許文献１】特開平８−３３２２３７号公報
【特許文献２】特許第３４９３３９５号公報
【特許文献３】特許第３６４４３７８号公報
【発明の開示】
【発明が解決しようとする課題】
【０００７】
本発明は上記の非常用扉を備えた扉装置の問題点を解消すると共に、非常用扉体を扉本体の中に備えた横引き式扉装置に、読取った指の静脈パターンなどの生体データを施，解錠信号発生のために使用するようにした電子施錠システムを適用した金庫室等の扉装置を提供することを課題とする。
【課題を解決するための手段】
【０００８】
上記課題を解決することを目的としたなされた本発明扉装置の構成は、金庫室等の出入口に装備される懸吊された横引き式扉装置において、スライド可能に懸吊された扉本体を上，下で水平に二分し、二分した下半部扉体を上半部扉体に左右スライド可能に懸吊支持させて非常用扉に形成すると共に、上，下半部扉体が結合した扉本体のカンヌキの動作をロック，アンロックするための電気又は電子施錠装置の施，解錠動作を、生体データの認識装置による判別信号に基づいて制御するようにしたことを特徴とするものである。
【０００９】
下半部扉体は、上半部扉体が閉扉状態のままで扉本体全体の開扉スペースとして設けられているスペース内にスライドして開扉されると共に、閉扉されると、上半部扉体と扉枠にカンヌキなどを介して機械的に結合されるように形成されている。
【００１０】
また、下半部扉体は、上半部扉体とのカンヌキ等による機械的結合手段の施解錠装置を具備する。
【発明の効果】
【００１１】
本発明による金庫室等の横引き式扉装置は、金庫室等の出入口に装備される懸吊された横引き式扉装置において、スライド可能に懸吊された扉本体を上，下で水平に二分すると共に、二分した下半部扉体を上半部扉体に左右スライド可能に懸吊支持させて非常用扉に形成したので、下かまちが全く設けられず、従って、その非常扉を開扉すると、キャスタ付きワゴン等を、庫外と庫内の間で何らの段差障害物を越える必要なく移動させることができるほか、本発明扉装置が備える非常用扉は、その開扉が、扉本体の開扉スペース内にスライドして収まることによりなされ、また、閉扉すると上半部扉体と結合一体化されて扉本体に形成されるから、非常用扉を設置するために別途スペースを確保することを要しないという利点がある。
【００１２】
また、本発明扉装置は、上半部扉体と下半部扉体が結合一体化した扉本体のカンヌキの進退動作を許否する施錠装置に、リーダで読取った人の指の静脈パターンなどの生体データを利用した電子施錠システムを適用することにより、従来のダイヤル式施錠装置のように、正当な者以外の不当，不正な操作者によって解錠されるおそれを完全に無くすことができ、しかも、開扉までに要する操作も至って簡易であるから、開扉操作も迅速に行うことができる。
【発明を実施するための最良の形態】
【００１３】
次に本発明扉装置の実施の形態例について、図を参照して説明する。添付した図において、図１は本発明扉装置の構造を説明するため高さ方向の中間を省略して模式的に表した断面図、図２は図１の扉装置の正面図、図３は図２の下半部扉体（非常用扉）を開けた状態の正面図、図４は図２の扉装置の平断面図、図5は扉本体６の開閉操作の可否を説明するためのフローチャート図である。
【００１４】
図２，図３において、１は金庫室Mrの壁面で、２は金庫室Mrと手前側で同一面に形成された床である。前記壁面１には扉かまち３を床２の側を除く３辺に備えた金庫室Mrの出入口４が形成されている。
【００１５】
扉かまち３の背後（金庫室Mr側）には、上かまち31の背面側において出入口４の幅方向に設けたガイドレール５に、扉本体６の上面に設けたスライダ７が、スライド自在に懸吊架装されていることにより、この扉本体６が前記レール５に支持案内されて、壁面１の内面側（金庫室Mrの側）に凹状に形成した扉収納部８に収まるようにスライド（移動）させられて、この出入口４の開扉状態を作るようになっている。
【００１６】
扉本体６には、施錠装置が解除されて解除状態（動作可能状態）におかれたカンヌキ6aを回転により出没させると共に、この扉本体６にスライド動作をさせるとき、操作者が手で掴む、ここでは丸型のハンドル９が設けられている。本発明において、上記カンヌキ6aの進退動作を許否する施錠装置は、人の指の静脈パターンなどの生体データを読取って、予め登録されている本人のデータと照合し、一致すればハンドル９の回転を許容してカンヌキ6aを後退させ、不一致の場合にはハンドル９の回転を拒否してカンヌキ6aの後退ができない生体データリーダ式の電子施錠装置が装備されている。この電子施錠装置は、出入口４の縦かまち31の脇に配置した静脈パターンのリーダBrと、このリーダBrで読取った生体データと予め登録されている本人のデータを照合し、一致していればハンドル９の回転を許容するが、不一致であればハンドル９の回転が不能に固定される鎖錠機構を備えた電子システム錠ESにより形成されている。
【００１７】
上記扉本体６の背面（金庫室Mr側）には、扉本体６の背面と適宜の離間距離をとって格子扉10が、前記レール５と平行に配置したレール11にスライダや転動輪などによる摺動体又は車輪12が支持案内されることにより、懸吊スライド式で設けられている。なお、13は扉本体６の下面と床２の間に対し、扉本体下面に配設したファイアバリア材である。このバリア材13は熱で膨張して扉下面と床２の隙間を耐熱，耐炎的に封止する。
【００１８】
以上に述べた壁面１からファイアバリア材13までの構成は、従来から公知の横引き式扉装置の構成である。本発明はこの横引き式扉装置に、以下に説明する非常用扉装置の構成を採用することにより、本発明扉装置を形成するので、次にこの点について述べる。
【００１９】
本発明では、図に例示したように扉本体６を、その中間高さより少し下方の高さで水平方向に二分し、上方の上半部扉体61と下方の下半部扉体62を形成する。両扉体61，62の分割面63は、図１に例示するように階段状断面となるように形成して、耐火性，耐炎性，耐錐防盗性などの耐性を確保するようにしている。分割面63の断面形状は、図示した例に限られるものではなく、凹凸関係で噛み合う対面関係を備えていればよい。
【００２０】
ガイドレール５に懸吊された上半部扉体61から分割面63で分離された下半部扉体62は、上半部扉体61の背面側下部に前記レール５と平行に取付けた第２ガイドレール14に、前記スライダ７と同様の第２スライダ15であって、この下半部扉体62の背面側に取付けた第２スライダ15が支持案内されることにより、上半部扉体61に対して左右スライド可能に懸吊支持されている。以下、この下半部扉体62を非常用扉62ともいう。
【００２１】
図１の例では、下半部扉体62の背面には、第２スライダ15を取付けるための取付プレート16が設けられている。また、下半部扉体62の前面側の左側には、非常用扉62（下半部扉体62）の符号錠17が配設されており、この符号錠17の開錠によって非常用扉62のカンヌキ18を上半部扉体61のカンヌキ受けから後退させて非常用扉の開扉状態を形成するようにしている。なお、非常用扉62の符号錠17の前面には、不使用時に当該符号錠17を隠蔽するカバー19が配置されている。また、20は非常用扉62（下半部扉体62）のカンヌキ18を進退させると共に、当該扉体62をスライドさせるためのハンドル、21は分割面63に配置したファイヤバリア材である。さらに、扉かまち３における図２の左側の縦かまち32には、分割した扉体61，62の側端面に形成した穴に入る扉体61と62の振れ止め用のノックピン22が配置されている。
【００２２】
本発明の図１の例では、格子扉10も扉本体６と同じ高さで、上，下部の扉体10a，10bに分離すると共に、この扉10の下部には下かまち10cを残して、下部扉体10bを開き戸式で開閉できるように形成している。なお、下部扉体10bを上部扉体10aに対し左右スライドによる開閉機構とすることは任意である。
【００２３】
以上により本発明扉装置の一例を形成するので、次にその操作，動作態様の一例について説明する。
【００２４】
本発明扉装置では、上半部扉体61と下半部扉体（非常用扉）62が結合一体化した状態においては、一枚の扉本体６として開扉又は閉扉の操作を行う。その操作態様の一例は、次の通りである。
即ち、金庫室Mrの扉本体６を開閉できる者として、本人の指の静脈パターンのデータが、予め電子システム錠ESの記憶部ａに登録されている者が、登録した指ＦをリーダBrの読取り部ｂに挿入する。この挿入で読取られた生体データ（静脈パターンのデータ）は、前記電子システム錠ESが備えた判別部ｃで登録データと照合され、一致すると判別されると、この電子システム錠ESの鎖錠機構ｄに前記判別部ｃから一致信号を解錠トリガとする解錠信号が出力されて、当該鎖錠機構ｄがロック位置にあるカンヌキ6aをアンロック側に後退することを許容する状態にする。
カンヌキ6aがアンロック側に移動可能状態になると、ハンドル９の回転によりそのカンヌキ6aを後退させて扉本体６のロックを解き、この扉本体６を従来の横引き式扉と全く同じ態様でスライドさせてその収納部８に収める開扉状態を実現できる。
上記判別部ｃで一致信号が得られないとエラー信号が出力され、予め登録された者ではない者に対しては、鎖錠機構ｄがカンヌキ6aのロック状態を維持するのでハンドル９の回転は不能であり、従って扉本体６を開けることはできない。
【００２５】
一方、何らかの原因（例えば停電等）によって扉体６の開閉が不能状態に陥った場合、係員は非常用扉62のカバー19を開けて符号錠17とハンドル20とを操作できる状態にし、符号錠17を操作して非常用扉62のカンヌキ18のロックを解除してそのカンヌキ18が進退できる状態を作る。カンヌキ18が進退できるようになるとハンドル20を回転してカンヌキ18を上半部扉体61の下面に設けたカンヌキ受けから抜去させると、この非常用扉62がスライド開扉可能の状態になるので、ハンドル20を掴んでこの扉62を図２の右方へ移動させる。
【００２６】
開けられた非常用扉62は、図３に例示するように、扉本体６の略１／２強のスライド量まで移動して、上半部扉体61の下方に、キャスターCaを備えたキャビネットSuなどが段差のない床２を金庫室Mrの内，外において自由に移動できる開口空間Psを形成する。
【００２７】
図示した例では、非常用扉62の奥側(金庫室Mrの側)に、下部扉体10bが開き戸式で開けられるように形成した格子扉10があるので、係員は、この下部扉対10bの施錠を解除して当該扉体10bを開け、金庫室Mr内に入って格子扉10をその収納部８にスライドさせて格納すると、上記開口空間Psは、キャスタCa付きのキャビネットSuを、そのまま押し、或は、曳いて金庫室Mrと手前側の執務室などとの間で、自由に出入り可能となる。
【００２８】
非常用扉62を利用した金庫室Mrに対する出入り作業が終了すれば、係員が金庫室内に入って格子扉10をスライドさせて閉扉し、その下部扉体10bから庫外に出て当該扉体10bを閉じて施錠し、それから非常用扉62を元の位置にスライドさせて戻し、ハンドル20の回転操作でカンヌキ18を上半部扉体61の下面に設けたカンヌキ受け（図に表われず）に進出させ、符号錠17を操作してカンヌキ18をロックする。カンヌキ18のロックが終われば、カバー19を元に戻すと、扉本体６は全体の閉扉状態に戻ることになる。
【００２９】
扉本体６の開閉可能状態が回復するまで、上記の非常用扉62は利用されるが、回復すれば当該扉本体６を上述した生体データリーダ式の電子システム錠ESの作用で開閉することにより、本来の出入口４の開扉状態と閉扉状態を作ることができる。
【産業上の利用可能性】
【００３０】
本発明は以上の通りであって、扉内に非常扉を配置する金庫室等の横引き式扉装置を、スライド可能に懸吊された扉本体を上，下で水平に二分し、二分した下半部扉体を上半部扉体に左右スライド可能に懸吊支持させて非常用扉に形成すると共に、上半部扉体と下半部扉体が結合一体化した扉本体のカンヌキの進退動作を許否する施錠装置に、リーダで読取った人の指の静脈パターンなどの生体データを利用した電子システム錠を適用することにより、従来のダイヤル式施錠装置のように、正当な者以外の不当，不正な操作者によって解錠されるおそれを完全に無くすことができ、しかも、開扉までに要する操作も至って簡易であるから、開扉操作も迅速に行うことができる。更には、非常用扉を懸吊スライド式にして下かまちを全く設けないタイプにしたので、その非常用扉を開扉すると、キャスタ付きワゴン等を、庫外と庫内の間で何らの段差障害物を越える必要なく移動させることができる。
【００３１】
また、本発明による非常用扉は、その開扉が扉本体の開扉スペース内にスライドして収まることによりなされ、また、閉扉すると上半部扉体と結合一体化されて扉本体に形成されるから、非常用扉を設置するための別途スペースを全く必要としない効果が得られる。
【図面の簡単な説明】
【００３２】
【図１】本発明扉装置の構造を説明するため高さ方向の中間を省略して模式的に表した断面図。
【図２】図１の扉装置の正面図。
【図３】図２の下半部扉体（非常用扉）を開けた状態の正面図。
【図４】図２の扉装置の平断面図。
【図５】扉本体の開閉操作の可否を説明するためのフローチャート図。
【符号の説明】
【００３３】
１      壁面
２      床
３      扉かまち
31      上かまち
４      出入口
５      ガイドレール
６      扉本体
Br      生体データのリーダ
ES      電子システム錠
61      上半部扉体
62      下半部扉体（非常扉）
63      分割面
７      スライダ
８      扉収納部
９      ハンドル
10      格子扉
10a     上部扉体
10b     下部扉体
10c     下かまち
11      レール
12      摺動体又は車輪
13      ファイアバリア材
14      第２ガイドレール
15      第２スライダ
16      取付プレート
17      非常用扉の符号錠
18      非常用扉のカンヌキ
19      非常用扉のカバー
20      非常用扉のハンドル
【図１】
0004428662.tif 000002
【図２】
0004428662.tif 000003
【図３】
0004428662.tif 000004
【図４】
0004428662.tif 000005
【図５】
0004428662.tif 000006